(57)【要約】【課題】スムーズに腕に挿入することができ、装着時間を短縮することができる圧迫体を提供する。【解決手段】膨張・収縮自在な阻血用の空気袋２を内部に収納した圧迫体１Ａである。空気袋２のコネクタ６部分に気密状態で連結され、導出方向が変更可能な空気給排用チューブ７が設けられている。圧迫体１Ａの外面に取付けられ、左右どちらの腕にどの向きで挿入して取付けるべきかを表示する表示部１０，１１が設けられている。表示部１０，１１に設けられ、左右どちらかの腕に挿入する時に圧迫体１Ａを引っ張るための持ち手部１０ａ，１１ａが設けられている。【選択図】図１
2010279524.tif 000002
【特許請求の範囲】
【請求項１】
膨張・収縮自在な阻血用の空気袋を内部に収納した圧迫体であって、
前記空気袋のコネクタ部分に気密状態で連結され、導出方向が変更可能な空気給排用チューブと、前記圧迫体の外面に取付けられ、左右どちらの腕にどの向きで挿入して取付けるべきかを表示する表示部と、この表示部に設けられ、左右どちらかの腕に挿入する時に圧迫体を引っ張るための持ち手部とが設けられたことを特徴とする圧迫体。
【請求項２】
前記持ち手部の引っ張り動作に連動して、この引っ張り方向とは反対方向に前記空気給排用チューブの導出方向を変更する導出方向変更機構を有することを特徴とする請求項１に記載の圧迫体。
【発明の詳細な説明】
【技術分野】
【０００１】
本発明は、血圧測定時に人体の腕や手首に巻き付けて阻血するための圧迫体に関する。
【背景技術】
【０００２】
血圧測定に用いられる圧迫体は、人体の上腕あるいは手首に巻き付けて装着した後、内部の空気袋を膨張させることで動脈を圧迫して阻血を行うものである。この空気袋には、空気を給排するための空気給排用チューブが連結されているが、圧迫体からの空気給排用チューブの導出方向が問題となる。
【０００３】
すなわち、圧迫体を右上腕に装着する場合は、右肩の方向よりも右手首の方向に導出させれば邪魔にならず、逆に、圧迫体を左上腕に装着する場合は、左肩の方向よりも左手首の方向に導出させれば邪魔にならないからである。
【０００４】
そのため、空気袋のコネクタ部分に気密状態で回動可能に連結され、導出方向が変更可能な空気給排用チューブと、圧迫体の外面に取付けられ、空気給排用チューブの導出方向の変更に応じて左右どちらの上腕にどの向きで挿入して取付けるべきかを表示する表示部とを設けた圧迫体が提案されている（特許文献１参照）。
【０００５】
これによれば、空気給排用チューブの導出方向の変更操作を行えば、その導出方向の時には、左右どちらの上腕にどの向きで取付けるべきかが表示部に表示されるものである。この表示に従えば、容易かつ確実に上腕に装着して正確な測定が行えるものであり、しかも空気給排用チューブが邪魔にならないという効果がある。
【先行技術文献】
【特許文献】
【０００６】
【特許文献１】特開２００９−７７８１４号公報
【発明の概要】
【発明が解決しようとする課題】
【０００７】
前記背景技術において、圧迫体を上腕に挿入して取付ける際に、圧迫体自体は手で持ちやすい形状ではない。そのために、例えば、太い上腕や衣服を捲り上げながら挿入する場合等のように、圧迫体を挿入する際の負荷が大きい場合には、装着に時間がかかることもあるので、それを改善したいという要望があった。
【０００８】
本発明は、前記要望に応えるためになされたもので、スムーズに腕に挿入することができ、装着時間を短縮することができる圧迫体を提供することを目的とするものである。
【課題を解決するための手段】
【０００９】
前記課題を解決するために、本発明は、膨張・収縮自在な阻血用の空気袋を内部に収納した圧迫体であって、前記空気袋のコネクタ部分に気密状態で連結され、導出方向が変更可能な空気給排用チューブと、前記圧迫体の外面に取付けられ、左右どちらの腕にどの向きで挿入して取付けるべきかを表示する表示部と、この表示部に設けられ、左右どちらかの腕に挿入する時に圧迫体を引っ張るための持ち手部とが設けられたことを特徴とする圧迫体を提供するものである。
【００１０】
請求項２のように、請求項１において、前記持ち手部の引っ張り動作に連動して、この引っ張り方向とは反対方向に前記空気給排用チューブの導出方向を変更する導出方向変更機構を有することが好ましい。
【発明の効果】
【００１１】
本発明によれば、圧迫体は、左右どちらの腕にどの向きで取付けるべきかが表示部に表示されるようになる。この表示に従えば、容易かつ確実に腕に装着して正確な測定が行えるものであり、この表示の反対側となるように、空気給排用チューブの導出方向の変更操作を行えば、空気給排用チューブが邪魔にならなくなる。
【００１２】
しかも、表示された腕側の表示部の持ち手部を指で掴むことで、圧迫体を容易に引っ張ることができるから、圧迫体を挿入する際の負荷が大きい場合であっても、圧迫体をスムーズに腕に挿入することができ、装着時間を短縮することができる。また、表示部に持ち手部を設けるだけの簡単な構成であり、コスト安である。
【００１３】
請求項２によれば、持ち手部の引っ張り動作に連動して、導出方向変更機構により、引っ張り方向とは反対方向に空気給排用チューブの導出方向が変更するようになるから、空気給排用チューブの導出方向の変更が自動的に行えるようになる。
【図面の簡単な説明】
【００１４】
【図１】本発明の第１実施形態の圧迫体であり、（ａ）は斜視図、（ｂ）は持ち手部を有する表示部の斜視図である。
【図２】（ａ）は圧迫体の断面図、（ｂ）はコネクタ部分の断面図である。
【図３】本発明の第２実施形態の圧迫体であり、（ａ）は斜視図、（ｂ）は持ち手部を有する表示部の側面図である。
【図４】（ａ）は連結通路部材の偏心ピンの斜視図、（ｂ）（ｃ）は、偏心ピンと円弧状溝との関係を示す側面図である。
【発明を実施するための形態】
【００１５】
以下、本発明を実施するための形態について、図面を参照しながら詳細に説明する。図１および図２は、第１実施形態の圧迫体１Ａであり、この圧迫体１Ａは、人体の上腕（手首でも可）に挿入することで装着するものである。
【００１６】
図２（ａ）に断面を示すように、圧迫体１Ａは、エアポンプ等から空気を供給することで膨張し、排気弁等で空気を排出することで収縮する阻血用の空気袋２と、この空気袋２の外周側に配置した弾性の保持板（Ｃ形クリップ）３とを備えている。この空気袋２および保持板３は、帯状の外布４内に収納されている。
【００１７】
この圧迫体１Ａを上腕に装着する際は、圧迫体１Ａをほぼ筒状の状態に保つ保持板３を弾性に抗して押し広げながら、手首側から上腕に挿入（差し込む）して、上腕の外周に圧迫体１Ａを位置させる。その後、外布４の自由端部４ａを引っ張って弛みを無くした状態で、外布４に設けた面状ファスナ５（５ａ，５ｂ）を利用して固定する。
【００１８】
そして、周知のように、空気袋２に空気を供給して膨張させることで、上腕を通る動脈を圧迫して阻血し、その後、空気袋２から空気を徐々に排出して収縮させることで、血圧測定を行うものである。
【００１９】
図１（ａ）及び図２（ｂ）に示すように、保持板３に固定されて、外布４から外方に突出するコネクタ６が設けられ、このコネクタ６には、空気袋２内と外部との間を連通する空気通路６ａが形成されている。
【００２０】
このコネクタ６の側部に形成された空気通路６ａの開口６ｂには、空気給排用チューブ７の先端に接続した連結通路部材８が、気密状態で回動可能に連結されている。
【００２１】
そして、空気給排用チューブ７の導出方向は、連結通路部材８が図示の実線位置では、図において右方向であり、連結通路部材８が１８０°回動した二点鎖線位置では、図において左方向に変更されるようになる。
【００２２】
圧迫体１Ａの外面の幅方向の両側には、保持板３に固定されたＬ字状の表示部１０，１１が設けられている。図において左側の表示部１０には、左向きの矢印と「左肩」の文字が印刷され、図において右側の表示部１１には、右向きの矢印と「右肩」の文字が印刷されている。各矢印と文字は、後述するように、左右どちらの腕にどの向きで挿入して取付けるべきかを表示するものである。
【００２３】
「左肩」や「右肩」の文字表示は、これらに限られず、例えば「左腕用・肩側」「右腕用・肩側」といった文字表示でもよい。
【００２４】
各表示部１０，１１には、上方に立ち上がった持ち手部１０ａ、１１ａが一体的に設けられ、各持ち手部１０ａ，１１ａは、左右どちらかの腕に挿入する時に圧迫体１Ａを引っ張るためのものである。
【００２５】
そして、右腕に圧迫体１Ａを装着する場合、空気給排用チューブ７の導出方向が左方向となるように〔図１（ａ）二点鎖線参照〕、連結通路部材８を回動させておく。ついで、右向きの矢印と「右肩」の文字が印刷された右側の表示部１１の持ち手部１１ａを左指で掴んで、圧迫体１Ａを右上腕方向に引っ張りながら、右上腕の外周に位置させる。その後、外布４の自由端部４ａを引っ張って弛みを無くした状態で、外布４に設けた面状ファスナ５を利用して右上腕に固定（装着）する。
【００２６】
逆に、左腕に圧迫体１Ａを装着する場合、空気給排用チューブ７の導出方向が右方向となるように〔図１（ａ）実線参照〕、連結通路部材８を回動させておく。ついで、左向きの矢印と「左肩」の文字が印刷された左側の表示部１０の持ち手部１０ａを右指で掴んで、圧迫体１Ａを左上腕方向に引っ張りながら、左上腕の外周に位置させる。その後、外布４の自由端部４ａを引っ張って弛みを無くした状態で、外布４に設けた面状ファスナ５を利用して左上腕に固定（装着）する。
【００２７】
第１実施形態の圧迫体１Ａであれば、圧迫体１Ａは、左右どちらの腕にどの向きで取付けるべきかが表示部１０，１１に表示されるようになる。この表示に従えば、容易かつ確実に腕に装着して正確な測定が行えるものであり、この表示の反対側となるように、空気給排用チューブ７の導出方向の変更操作を行えば、空気給排用チューブ７が邪魔にならなくなる。なお、コネクタ６に連結通路部材８を回動可能に連結する必要は必ずしもなく、例えば、空気給排用チューブ７を連結通路部材８から真上に引き出して、空気給排用チューブ７の撓みを利用して、空気給排用チューブ７の導出方向の変更操作を行うこともできる。
【００２８】
しかも、表示された腕側の表示部１０，１１の持ち手部１０ａ，１１ａを指で掴むことで、圧迫体１Ａを容易に引っ張ることができる。したがって、圧迫体１Ａを挿入する際の負荷が大きい場合であっても、圧迫体１Ａをスムーズに腕に挿入することができ、装着時間を短縮することができる。また、表示部１０，１１に持ち手部１０ａ，１１ａを設けるだけの簡単な構成であり、コスト安である。
【００２９】
図３および図４は、第２実施形態の圧迫体１Ｂである。第１実施形態の圧迫体１Ａと相違するのは、表示部１２の構造である。
【００３０】
圧迫体１Ｂの外面には、幅方向に延在する横長長方形状の表示部１２が設けられ、この表示部１２は、保持板３に固定された一対のレール部材１３で幅方向にスライド可能に保持されている。
【００３１】
表示部１２の図において左側には、左向きの矢印と「左肩」の文字が印刷され、図において右側には、右向きの矢印と「右肩」の文字が印刷されている。
【００３２】
表示部１２の左端には、上方に立ち上がった持ち手部１２ａが一体的に設けられ、表示部１２の右端には、上方に立ち上がった持ち手部１２ｂが一体的に設けられている。
【００３３】
図４（ａ）に示すように、コネクタ６に回動可能に連結した空気給排用チューブ７の連結通路部材８の外底面には、偏心ピン８ａが形成されている。
【００３４】
この連結通路部材８の外底面が対向する表示部１２の長手方向の端面には、図４（ｂ）のように、円弧状溝１２ｃが形成されて、この円弧状溝１２ｃに連結通路部材８の偏心ピン８ａが係合されている。この偏心ピン８ａと円弧状溝１２ｃは、空気給排用チューブ７の導出方向変更機構を構成する。
【００３５】
そして、左腕に圧迫体１Ｂを装着する場合、左向きの矢印と「左肩」の文字が印刷された左側の持ち手部１２ａを右指で掴んで、圧迫体１Ｂを左上腕方向に引っ張ると、図４（ｂ）のように、表示部１２が左方向（矢印ａ参照）にスライドするようになる。
【００３６】
このとき、円弧状溝１２ｃに係合する偏心ピン８ａを介して連結通路部材８が右回り（矢印ｂ）に回動するので、空気給排用チューブ７の導出方向が右方向に自動的に変更されるようになる。
【００３７】
逆に、右腕に圧迫体１Ｂを装着する場合、右向きの矢印と「右肩」の文字が印刷された右側の持ち手部１２ｂを左指で掴んで、圧迫体１Ｂを右上腕方向に引っ張ると、図４（ｃ）のように、表示部１２が右方向（矢印ｃ参照）にスライドするようになる。
【００３８】
このとき、円弧状溝１２ｃに係合する偏心ピン８ａを介して連結通路部材８が左回り（矢印ｄ）に回動するので、空気給排用チューブ７の導出方向が左方向に自動的に変更されるようになる。
【００３９】
第２実施形態の圧迫体１Ｂであれば、持ち手部１２ａ，１２ｂの引っ張り動作に連動して、偏心ピン８ａと円弧状溝１２ｃとでなる導出方向変更機構により、引っ張り方向とは反対方向に空気給排用チューブ７の導出方向が変更するようになるから、空気給排用チューブ７の導出方向の変更が自動的に行えるようになる。
【符号の説明】
【００４０】
１Ａ，１Ｂ  圧迫体
２      空気袋
６      コネクタ
７      空気給排用チューブ
８      連結通路部材
８ａ    偏心ピン（導出方向変更機構）
１０，１１  表示部
１０ａ，１１ａ  持ち手部
１２    表示部
１２ａ，１２ｂ  持ち手部
１２ｃ  円弧状溝（導出方向変更機構）
【図１】
2010279524.tif 000003
【図２】
2010279524.tif 000004
【図３】
2010279524.tif 000005
【図４】
2010279524.tif 000006